(57)【特許請求の範囲】
【請求項１】
建屋を仕切壁で利用者が出入りする操作室と、精米機を備える機械室に仕切り、機械室の側壁に開閉扉を設ける精米設備において、
機械室内にあって、開閉扉に対向する位置に糠収容ボックスで区画する糠収容室を設け、
糠収容ボックスの上端部と建屋の天井とを設定距離離間する構成とし、
糠収容室内にはサイクロンを設け、
糠収容ボックスの上部の内、開閉扉側に近い側の糠収容ボックスの上部とサイクロンの上端より下位位置との間を覆い板で覆い、開閉扉側から遠い側の糠収容ボックスの上部とサイクロンの上端より下位位置との間を開口して通気口とし、
覆い板から下方に向かって垂下する衝立板を設け、
衝立板は、サイクロンと開閉扉の間に設けることを特徴とする精米設備。
【請求項２】
衝立板の下部に、サイクロンの下部を支持するサイクロン支持板を取り付けることを特徴とする請求項１記載の精米設備。
【発明の詳細な説明】
【技術分野】
【０００１】
本発明は、建屋式の精米設備に関する。
【背景技術】
【０００２】
特許文献には、建屋を仕切壁で操作室と機械室に仕切る建屋式の精米設備において、機械室側に設ける開閉扉に対向する位置に移動式の糠収容室を設ける構成が記載されている。
【先行技術文献】
【特許文献】
【０００３】
【特許文献１】特開２０１３-９４６９８号公報
【発明の概要】
【発明が解決しようとする課題】
【０００４】
特許文献１においては、糠収容室を形成する囲い板と建屋の天井との間が離間しているため、建屋の開閉扉を開けて糠収容室から糠を採取する利用者が建屋内の天井部等を視認し易く、精米設備の管理者にとっては好ましくない。また、サイクロン近傍は糠と空気が舞い易いので、開閉扉を開けて糠を採取する利用者が晒され易い。
【課題を解決するための手段】
【０００５】
かかる課題を解決するために、請求項１記載の発明は、
建屋を仕切壁で利用者が出入りする操作室と、精米機を備える機械室に仕切り、機械室の側壁に開閉扉を設ける精米設備において、
機械室内にあって、開閉扉に対向する位置に糠収容ボックスで区画する糠収容室を設け、
糠収容ボックスの上端部と建屋の天井とを設定距離離間する構成とし、
糠収容室内にはサイクロンを設け、
糠収容ボックスの上部の内、開閉扉側に近い側の糠収容ボックスの上部とサイクロンの上端より下位位置との間を覆い板で覆い、開閉扉側から遠い側の糠収容ボックスの上部とサイクロンの上端より下位位置との間を開口して通気口とし、
覆い板から下方に向かって垂下する衝立板を設け、
衝立板は、サイクロンと開閉扉の間に設けることを特徴とする精米設備とする。
【０００６】
【０００７】
請求項２記載の発明は、
衝立板の下部に、サイクロンの下部を支持するサイクロン支持板を取り付けることを特徴とする請求項１記載の精米設備とする。
【発明の効果】
【０００８】
本発明により、建屋の開閉扉を開けて糠収容室から糠を採取する利用者が建屋内の天井部等を視認し難くすることができる。
【０００９】
また、開閉扉を開けて糠を採取する利用者にサイクロンにより乱流する風や糠を晒され温くすることができる。
【図面の簡単な説明】
【００１０】
【図１】建屋の外観図
【図２】正面から見た操作室を示す図
【図３】精米設備の作業工程図
【図４】平面から見た建屋内部を示す図
【図５】側面から見た第一開閉扉を開いたことを示す図
【図６】側面から見た第一開閉扉を開いたことを示す図
【図７】別実施例の糠収容ボックスを示す模式図
【図８】糠収容室を示す模式図
【図９】平面から見た糠収容室を示す図
【発明を実施するための形態】
【００１１】
本発明の実施の形態の建屋１式の精米設備について、以下説明する。
【００１２】
建屋１の構成について説明する。
【００１３】
図１は建屋１の外観図である。正面側には利用者が操作室５に出入りするスライド扉２を設ける（図１のＢ参照）。左右の側壁２５には左右一対の縦軸芯に回動する第一開閉扉３と第二開閉扉４を設けている。本実施の形態において、第二開閉扉４は管理者が機械室６に出入りするためのものであり、第一開閉扉３は後述する利用者が糠収容室７から糠を採取するためのものである（図１のＡ及びＣ参照）。後壁５０の左右一側には機械室６内を換気する換気扇８を設けている（図１のＤ参照）。
【００１４】
精米設備の装置各部について図に基づいて説明する。
【００１５】
精米設備の装置各部を図２の作業工程順に説明する。
【００１６】
玄米を投入する投入ホッパ１０と、投入ホッパ１０内の玄米を揚穀する第一昇降機１１と、石抜機１２と、石抜機１２で石抜きされた玄米を揚穀する第二昇降機１３と、精米機１４と、精米機１４で精米処理された精白米を貯留する白米タンク１５を備える。そして、精米機１４の精米処理により発生した糠を吸引及び搬送する糠搬送ファン１６と、糠を空気搬送する糠搬送筒１７と、空気搬送された糠と空気とを分離するサイクロン２３とを設けている。糠搬送筒１７の途中には切換弁１８を設け、第二糠搬送筒１９を経て操作室５から糠を取り出す糠取り出し室３４の第二サイクロン２４を設けている。
【００１７】
次に平面から見た精米設備内部の配置について説明する。
【００１８】
建屋１内を仕切壁４２で前後に仕切り、前側を操作室５、後側を機械室６とする。操作室５側の仕切壁４２近傍には投入ホッパ１０用の袋置き台２０と、操作盤２１と白米タンク１５の取出口１５ａと、糠取り出し扉とを設け、操作室５の前側には利用者が出入りするスライド扉２を設けている。
【００１９】
機械室６の前側には石抜機１２と精米機１４とを設け、機械室６の後側には糠搬送空気を上方、糠を下方に分離排出するサイクロン２３を設け、サイクロン２３の周囲を平面視でコ型の糠収容ボックス３０で囲み、サイクロン２３を上部位置に設ける糠収容室７を形成している。糠収容室７と対向する位置には利用者が糠収容室７に出入りするための第一開閉扉３を設けている。第一開閉扉３は機械室６の左右一方の側壁２５に設けられ、左右他方の側壁２５には管理者が機械室６内に出入りする第二開閉扉４を設けている。
【００２０】
本実施の形態の精米設備は石抜機１２及び精米機１４の後端と建屋１の後壁との間にスペースを設け、該スペースの左右一側を糠収容室７を設け、左右他側を管理者のメンテナンス用スペース２６としている。
【００２１】
利用者はスライド扉２から操作室５内に入り、投入ホッパ１０に持参玄米を投入し、操作盤２１の料金投入口２７に料金を投入すると共に、精白度選択スイッチ２８で精白度を設定して精米運転を行い、白米タンク１５の取出し口１５ａから精白米を取り出す。糠取り出しスイッチ２９を操作しないと、精米機１４で発生した糠は糠収容ボックス３０まで糠搬送筒１７内を空気搬送され、サイクロン２３で糠と搬送空気に分離され、搬送空気は天井４４側に排出され、糠Ｎはサイクロン２３の下部から弾性体の糠案内筒５１を経て糠収容室７に落下して堆積する。精米運転中に糠取り出しスイッチ２９を操作すると切換弁１８が切り替わり糠が第二糠搬送筒１７から第二サイクロン２４を経て糠取り出し室３４まで搬送し、利用者は糠取り出し室３４の扉３４ａを開けて持参した袋で持参玄米の糠を採集する。持参玄米を持たないで糠のみを所望する利用者は第一開閉扉３を開けて糠収容室７から糠を採集する。
【００２２】
次に糠収容室７の構成について以下説明する。
【００２３】
断面形状コの字型の糠収容ボックス３０の開放面を第一開閉扉３と対向する位置に設け、糠収容室７を形成している。サイクロン２３は建屋１の天井４４に取り付けられるサイクロン２３支持固定プレート５３を設け、サイクロン２３を吊り下げ支持する構成である。また、糠収容ボックス３０の底部には糠Ｎを堆積させる底板３５を設け、底板３５の下方には移動車輪３６を設けている。
【００２４】
また、糠収容ボックス３０は糠収容ボックス固定部材３７を介して機械室６の側壁２５側に支持固定する構成とし、本実施の形態では糠収容ボックス３０と糠収容ボックス固定部材３７とにより、第一開閉扉３を開けても利用者が機械室６内に入り込めないように糠収容室７と機械室６とを遮蔽する構成である。
【００２５】
糠収容ボックス固定部材３７は着脱可能なボルト等の固定具３８で機械室６の側壁２５に固定される。また、糠収容ボックス３０は着脱可能なボルト等の固定具（図示せず）を糠収容ボックス３０の外側に取付けられる固定具用プレート４０を貫通させて建屋１の床４１側に固定される。そして、糠収容ボックス３０の開放側の端部にフランジ３０ａを形成し、糠収容ボックス固定部材３７のフランジと面位置を合わせる。移動車輪３６と略同じ高さ分の台４３を床４１の上に載置し、糠収容ボックス３０の底板３５との高さ位置を同一にする。
【００２６】
糠収容ボックス３０の上端部と建屋１の天井４４とを設定距離Ｌを離間する構成とする。糠収容ボックス３０の上部の内、第一開閉扉３側に近い側を覆い板４５で覆い、第一開閉扉３から遠い側を開放して通気口４６とする。具体的にはサイクロン２３を糠収容ボックス３０の上部の中央部に設け、サイクロン２３よりも開閉扉側を覆い板４５で覆い、サイクロン２３より後側を開放して通気口４６とする。
【００２７】
サイクロン２３は、サイクロン上部２３ａと、サイクロン下部２３ｂに分割構成されており、パッチン錠等の着脱具２３ｃで着脱自在に構成する。サイクロン２３下部は、サイクロン支持板４７で支持される。具体的には、サイクロン支持板４７に貫通孔（図示せず）を形成し、該貫通孔にサイクロン下部２３ｂを通して支持する。
【００２８】
覆い板４５の下面から下方に垂下する衝立板４８を設ける。衝立板４８はサイクロン２３と第一開閉扉３の間を遮蔽する姿勢とし、衝立板４８の上部を覆い板４５の下面に当接し、衝立板４８の下部とサイクロン支持板４７を接続する。衝立板４８はサイクロン２３に対向する位置に設ける。サイクロン支持板４７は糠収容ボックス３０及び衝立板４８にボルト等で着脱自在に取り付けられる。該ボルトを緩めるとサイクロン２３の支持位置からサイクロン２３の下方位置までスライドして下降可能に構成すると共に、衝立板４８を取り外すことができる構成としている（図５・図６・図９参照）。
【００２９】
図６に示すように、サイクロン下部２３ｂの上端部を糠収容ボックス３０の上端と略同じ高さに形成し、サイクロン上部２３ａを糠収容ボックス３０の上端から上方に突出する構成とし、衝立板４８はサイクロン下部２３ｂに対向する構成である。
【００３０】
なお、図面には、便宜上、衝立板４８と覆い板４５とサイクロン支持板４７に模様を付している。
【００３１】
この実施の形態の趣旨を以下説明する。
【００３２】
前述のとおり、糠収容室７の上部は機械室６と通気可能な通気口４６を第一開閉扉３から遠い側に設けると共に、第一開閉扉３に近い側を覆い板４５で覆う構成である。これは、利用者が機械室６内を視認し難くためであると共に、糠収容室７内を密閉状態にすると、糠搬送ファン１６による糠の搬送空気により糠収容室７内が負圧になり、サイクロン２３内での搬送空気と糠との分離性能が低下するため、糠収容室７から糠の搬送空気を逃がす必要があるためである。
【００３３】
また、衝立板４８を設けることで、第一開閉扉３を開けた利用者が、機械室６内を視認し難くすることができる。また、サイクロン２３と対向する位置に衝立板４８を設けることで、サイクロン２３近傍を舞い易い空気に利用者が晒されることを低減することができる。
【００３４】
また、糠収容室７を固定するにあたっては、メンテナンス用スペース２６側から固定具３９８着脱する構成とし、糠収容室７側からは固定具３８を着脱できないようにすることで、利用者が機械室６内に入ることを防止すると共に、管理者が機械室６内部からメンテナンス時に糠収容ボックス３０をメンテナンススペース２６を移動させることができる。
【００３５】
管理者がサイクロン２３をメンテナンスをするときには、第一開閉扉３を開けて衝立板４８を取り外し、サイクロン支持板４７をサイクロン２３の下方まで下降させることで、サイクロン下部２３ｂを取り外すことが可能になる（図６参照）。
【００３６】
管理者が機械室６内にメンテナンス等で出入りするときには第二開閉扉４を利用する。すなわち、第二開閉扉４からメンテナンス用スペース２６に入り込み、後ろ側から石抜機１２や精米機１４をメンテナンスしたり、糠収容ボックス３０の着脱をするようにする。
【００３７】
この精米設備の利用法として操作室５を出入りするスライド扉２と、糠収容室７を出入りする第一開閉扉３は利用者が任意に出入りできるように常時開錠しておき、機械室６に出入りする第二開閉扉４は管理者のみが出入りできるように常時施錠している。
【００３８】
糠収容ボックス３０は移動車輪３６で機械室６内の後部のスペースを移動することを可能としており、前述の長手の開放面を第一開閉扉４側に向けるように移動して第二開閉扉４が利用者の糠収容室７出入り用の開閉扉となり、第一開閉扉３が管理者が機械室６内のメンテナンス用スペース２６に出入りする開閉扉となる。このように構成することで精米設備の建屋１の設置場所に応じて糠収容室７の設置位置を管理者が任意に設定できる。
【００３９】
また、機械室６の後部のスペースのいずれか左右側一方をメンテナンス用スペース２６とし、左右側他方を糠収容室７とするため、狭いスペースを有効に利用できる。また、糠収容ボックス３０の上端を天井４４と離間し、移動車輪３６で移動できる構成のため、管理者が円滑に糠収容ボックス３０を任意の向きに移動し易くすることができる。
【００４０】
糠収容室７は第一開閉扉３又は第二開閉扉４のいずれかに設置することができるが、本実施の形態のように持参玄米の糠を操作室５側へ取り出せる構成においては、精米機１４に近い側の開閉扉、すなわち第一開閉扉３側に設けたほうが糠搬送筒１７及び第二糠搬送筒１７の長さ長さを短くでき、レイアウトしやすい。
【００４１】
図７に示すように、糠収容ボックス３０の後部、すなわち、換気扇８と対向する部分に切り欠き部５４を設けてもよい。これにより、換気扇８を駆動させることで、糠収容室７内で舞う糠を吸引して建屋１外に排出し、糠収容室７で糠を採取する利用者の環境を良好にすることができる。
【００４２】
換気扇８は、精米機１４が運転している時にサイクロン２３から排出され乱舞する糠を機外に排出するために連動して運転する。そして、精米機１４の運転が終了した後にも設定時間継続して運転することで、利用者が精米運転終了後に、糠を糠収容室７から採取するときに糠収容室７内で乱舞する糠を低減することができ、糠を採取することができる。また、第一開閉扉３に開閉検出スイッチ（図示せず）を設け、利用者が、糠を採取するために第一開閉扉３を開けたことを検出すると、換気扇８を運転するようにしても良い。これにより、精米運転の有無にかかわらず、糠収容室から糠を採取する利用者が乱舞する糠に晒され難くすることができる。
【符号の説明】
【００４３】
１    建屋
３    第一開閉扉
４    第二開閉扉
５    操作室
６    機械室
７    糠収容室
１４    精米機
２３    サイクロン
２５    側壁
４２    仕切壁
４５    覆い板
４６    通気口
４７    サイクロン支持板
４８    衝立板
【図１】
0006500727.tif 000002
【図２】
0006500727.tif 000003
【図３】
0006500727.tif 000004
【図４】
0006500727.tif 000005
【図５】
0006500727.tif 000006
【図６】
0006500727.tif 000007
【図７】
0006500727.tif 000008
【図８】
0006500727.tif 000009
【図９】
0006500727.tif 000010